(57)【特許請求の範囲】
【請求項１】
後端部に係合孔を伴って形成された工具保持脚部（１８）を解放可能に保持するための締め付け装置であって：
前方に面する表面、及び前記前方に面する表面と交差し、かつ前記工具保持脚部を受け入れるために前記前方に面する表面から後方に延伸する孔（１４）を有するハウジング（１３）；
前記ハウジングの内側で往復運動可能に設置された引っ張り棒（１９）であって、前端部において前記工具保持脚部の前記係合孔の内側の係合構成（４５）と係合するように適合された係合手段（２４）が提供され、前記引っ張り棒の長手方向の軸（３０）に関して横方向に前記引っ張り棒を通って延伸する引っ張り棒開口部（２８）を伴って形成された、引っ張り棒；並びに
前記引っ張り棒開口部を通って延在し、かつカム構成を備えるカムシャフト（１６）であって、前記ハウジング内で回転可能にジャーナル支持され、かつ前記カムシャフトを回転させるときの、前記カム構成によって前記ハウジングに関する前記引っ張り棒の軸方向の移動を与えるように適合された、カムシャフトを備え、
前記カムシャフト（１６）は、３つのカム構成、より正確には、第１及び第２の間隔が空けられたカム構成（３７’、３７”）であって、前記引っ張り棒の対向する側の前記ハウジング内の台座開口部（３８）内でジャーナル支持され、互いに関して同一の形状を有し、かつ互いに関して同一に位置決めされた、第１及び第２のカム構成（３７’、３７”）、並びに前記第１及び第２のカム構成の間に配置された中間の第３のカム構成（３７”’）であって、前記第１及び第２のカム構成に関して角度をずらして配置され、かつ前記引っ張り棒の前記開口部（２８）内に位置決めされた、第３のカム構成（３７”’）を備えることを特徴とし、
前記カム構成のうちの各々は、第１のカム表面（３９’）及び第２のカム表面（３９”）を備え、前記第１及び第２のカム構成の前記第１のカム表面は、前記台座開口部の前方表面（４０’）への作用によって前記カムシャフトを後方に移動させるように作動可能であり、一方、前記第３のカム構成の前記第１のカム表面は、前記引っ張り棒開口部の後部表面（４１”）への作用によって前記引っ張り棒を後方に移動させるように作動可能であり、かつ前記第１及び第２のカム構成の前記第２のカム表面は、前記台座開口部の後部表面（４０”）への作用によって前記カムシャフトを前方に移動させるように作動可能であり、一方、前記第３のカム構成の前記第２のカム表面は、前記引っ張り棒開口部の前方表面（４１’）への作用によって前記引っ張り棒を前方に移動させるように作動可能であり、並びに
前記引っ張り棒は、前記前方に面する表面を通して前記孔（１４）の中へ挿入可能であり、一方、前記カムシャフトは、前記台座開口部のうちの１つを通して前記引っ張り棒開口部の中へ挿入可能である、締め付け装置。
【請求項２】
前記第３のカム構成は、前記第１及び第２のカム構成に関して同一に形作られている、請求項１に記載の締め付け装置。
【請求項３】
前記第３のカム構成は、前記第１及び第２のカム構成に関して１８０°ずらして配置される、請求項１又は２に記載の締め付け装置。
【請求項４】
前記係合手段を前記前方に促すための圧縮バネが、前記引っ張り棒内に形成されたバネ孔に収容される、請求項１から３のいずれか一項に記載の締め付け装置。
【請求項５】
冷却媒体を移送するための流路が、前記引っ張り棒の前記開口部を貫通することなしに、前記引っ張り棒の後端部から前端部までの範囲内において、前記引っ張り棒内に配置される、請求項１から４のいずれか一項に記載の締め付け装置。
【発明の詳細な説明】
【技術分野】
【０００１】
本発明は、後端部に係合孔を伴って形成された工具保持脚部を解放可能に保持するための締め付け装置に関し、締め付け装置は：
前方に面する表面、及び前方に面する表面と交差し、かつ工具保持脚部を受け入れるために前方に面する表面から後方に延伸する孔を有するハウジング；
ハウジングの内側で往復運動可能に設置された引っ張り棒であって、前端部において、工具保持脚部の係合孔の内側の係合構成と係合するように適合された係合手段が提供され、後部において、引っ張り棒の長手方向の軸に関して横方向に引っ張り棒を通って延伸する引っ張り棒開口部を伴って形成された、引っ張り棒；並びに
引っ張り棒開口部を通って延在し、かつカム構成を備えるカムシャフトであって、ハウジング内で回転可能にジャーナル支持され、かつカムシャフトを回転させるときの、カム構成によってハウジングに関する引っ張り棒の軸方向の移動を与えるように適合された、カムシャフトを備える。
【背景技術】
【０００２】
上の導入部分で概説された締め付け装置は、製造業内でよく知られており、かつ様々な材料の加工対象物の機械加工のための種々の工具を保持するために当該製造業内で広く使用されている。締め付け装置は、随意に、例えば、ドリル若しくはフライス工具を保持するために回転可能なスピンドル上に配置され得、又は例えば、旋削工具を保持するために回転不可能であり得る。
【０００３】
この種の締め付け装置を用いることの１つの大きな利点は、約１００°から１８０°までカムシャフトを単に回転させることによって工具の素早い締め付けを可能にし、それは、工具が大きな力でハウジングの設置孔に引き込まれること、かつそれによって、締め付け装置によってしっかりと保持されることをもたらす。また、工具の解放は、容易であり得、かつカムシャフトを逆方向へ回転させることによって急速に実行され得る。通常は、工具保持脚部と同様にハウジングの孔は、また、それらが工具から後方へ軸方向に先細になるように、わずかに円錐状に作られている。このやり方において、工具と締め付け装置との間の接続は、また、任意の動きを完全に免れ、このことは、工具による高精度な機械加工を可能にする正確な位置に工具が保持されることをもたらすに違いない。
【０００４】
しかしながら、この種の先行技術の締め付け装置を用いることの１つの欠点は、工具保持脚部の望ましい断面寸法が頻繁に使用されることによって、引っ張り棒が、ハウジングの前端部からその孔を通して挿入されることができないように、比較的大きな断面寸法を伴って作られるということである。引っ張り棒がそのような大きな断面寸法を伴って作られなければならない理由は、引っ張り棒開口部が、締め付け及び解放の間にカムシャフトの回転を実行するオペレータのために、カムシャフトの望ましい移動及び望ましい力の低減を提供するために、十分なサイズのカム構成を有するカムシャフトを受け入れる必要があるからである。しかしながら、それによって工具保持脚部が脚部孔の中へ引き込まれる望ましい力に耐えるために、引っ張り棒の十分な引張強度を保証するために、引っ張り棒開口部を取り囲む引っ張り棒の残っている脚部分は、十分な断面寸法を伴って作られなければならない。締め付け装置の先行技術の設計の実施例は、本明細書におけるこれ以後の本発明の詳細な説明との関連でより詳細に説明される。したがって、締め付け装置を組み立てる場合に、引っ張り棒を適当な場所に位置決めするために、引っ張り棒は、現在まで、締め付け装置の後端部から挿入されてきており、又は脚部孔スリーブが、引っ張り棒が前端部からハウジングの中へ挿入された後で、締め付け装置の前端部に設置されてきた。このことの１つの結論は、締め付け装置の全体の寸法が、望ましいものと比べて小さく、かつ細く作られることができないということである。別の結論は、締め付け装置は、締め付け装置を製造することがより高価になることをもたらす余剰な設置詳細部分を備えるということであり、それは材料の費用及び組立を実行するための費用の両方に関するものである。
【発明の概要】
【０００５】
本発明の目的は、それによって引っ張り棒がハウジングの前端部からその孔を通ってハウジングの中へ挿入される、締め付け装置を提供することである。少なくともこの目的は、請求項１に記載の締め付け装置によって達成され得る。
【０００６】
したがって、本発明の基礎は、引っ張り棒がハウジングの前端部からハウジングの孔を通って挿入され得るように、非常に小さい全体の断面寸法を有する引っ張り棒が作られ得るという洞察であり、それは、先行技術の締め付け装置のように、単一の連続的なカム構成の代わりに、カムシャフトが３つのカム構成、より正確には、第１及び第２の間隔が空けられたカム構成であって、引っ張り棒の対向する側のハウジング内の台座開口部内でジャーナル支持され、互いに関して同一の形状を有し、かつ互いに関して同一に位置決めされた、第１及び第２のカム構成、並びに第１及び第２のカム構成の間に配置される中間の第３のカム構成であって、第１及び第２のカム構成に関して角度をずらして配置され、かつ引っ張り棒の開口部内に位置決めされた、第３のカム構成が提供されることによって達成される。カム構成のうちの各々は、第１のカム表面及び第２のカム表面を備え、ここで、第１及び第２のカム構成の第１のカム表面は、台座開口部の前方表面への作用によってカムシャフトを後方に移動させるために作動可能であり、一方、第３のカム構成の第１のカム表面は、引っ張り棒開口部の後部表面への作用によって引っ張り棒を後方に移動させるために作動可能であり、かつ第１及び第２のカム構成の第２のカム表面は、台座開口部の後部表面への作用によってカムシャフトを前方に移動させるために作動可能であり、一方、第３のカム構成の第２のカム表面は、引っ張り棒開口部の前方表面への作用によって引っ張り棒を前方に移動させるために作動可能である。このやり方において、カムシャフトの全体の断面寸法は、第１及び第２のカム構成が第３のカム構成に関して反対に向けられているので、低減されることができ、それは、第１及び第２のカム構成の移動させる動作が第３のカム構成の移動させる動作に追加されるので、各々のカム構成のサイズが低減されることができるという結果をもたらす。このやり方において、また、引っ張り棒の全体の断面寸法と同様に、引っ張り棒開口部が低減され得る。
【０００７】
本発明が、請求項１の範囲内で多くの種々のやり方によって変形され得、かつ修正され得ることは明らかである。例えば、本明細書のこれ以後において説明され、かつ示される本発明の例示的な実施形態において、締め付け装置の設置孔は、円錐状に形成され、かつ類似するように形作られた設置脚部を有する工具保持部を締め付けるために、いくらか「三角形」又は多角形の断面を有する。しかしながら、設置孔は、また、他のタイプの設置脚部を締め付けるために種々の形を有し得る。また、例示的な実施形態の引っ張り棒は、密封されたやり方で孔の範囲内でスライドするように適合された大きなサイズの部分の「三角形」又は多角形の断面を伴って形成されるが、無論、例えば、円形の断面を有する円筒などの別の断面形を有し得る。更に、例示的な実施形態において、カムシャフトの第１及び第２のカム構成は、第３のカム構成と同一に形作られるが、角度を１８０°ずらされている。しかしながら、第１及び第２のカム構成は、また、第３のカム構成に関して種々の異なる形を有し得る。
【０００８】
本発明の第２の側面にしたがって、先行技術の締め付け装置よりも短い長さを有する締め付け装置を提供することが、また、目的となる。これは、とりわけ、引っ張り棒の長手方向において形成されるバネ孔内で前方向へ結合機構を押すように適合された圧縮バネを位置決めすることによって達成される。このやり方において、圧縮バネを受け入れるための付加的な空間は、引っ張り棒の外部に提供される必要がない。
【０００９】
この出願全体の説明及び特許請求の範囲において、「前方」という用語は、それを通って工具保持脚部が締め付けの間に挿入される、設置孔の外側開口部に向かう方向又は位置を示すために使用される。その類推において、「後部」又は「後方」という用語は、設置孔の外側開口部から離れる方向又は位置を示すために使用される。
【００１０】
本発明による締め付け装置の例示的な実施形態と同様に、先行技術の締め付け装置の実施形態が、本明細書のこれ以後において図面を参照しながら説明される。
【図面の簡単な説明】
【００１１】
【図１】先行技術の締め付け装置の実施形態を示している。
【図２】先行技術の締め付け装置の実施形態を示している。
【図３】先行技術の締め付け装置の実施形態を示している。
【図４】工具保持部に結合された本発明による締め付け装置の斜視図である。
【図５】図４による分解斜視図である。
【図６】締め付け装置の引っ張り棒の斜視図である。
【図７】図６の左後方から見た端面図である。
【図８】図６によるカットスルー斜視図である。
【図９】締め付け装置のカムシャフトの斜視図である。
【図１０】図９による側面図である。
【図１１】図９のカムシャフトの下から見た図である。
【図１２】締め付け装置のハウジング、引っ張り棒、及びカムシャフトの部分的カットスルー及び分解斜視図である。
【図１３】図１２による長手方向の断面である。
【図１４】最初のロックされていない状態又は解放された状態における締め付け装置及び工具保持部の側面図である。
【図１５】ロックされていない状態又は解放状態における図１４のＸＶ‐ＸＶ線に沿った、締め付け装置及び工具保持部を通る長手方向の断面である。
【図１６】図１５による締め付け装置の部分的カットスルー図であるが、工具保持部及び結合機構はない。
【図１７】図１６におけるＸＶＩＩ線に沿った長手方向の断面である。
【図１８】図１６におけるＸＶＩＩＩ線に沿った長手方向の断面である。
【図１９】ロックされた状態又は締め付けられた状態における締め付け装置及び工具保持部の側面図である。
【図２０】ロックされた状態又は締め付けられた状態における図１９のＸＸ‐ＸＸ線に沿った、締め付け装置及び工具保持部を通る長手方向の断面である。
【図２１】図２０による締め付け装置の部分的カットスルー図であるが、工具保持部及び結合機構はない。
【図２２】図２１におけるＸＸＩＩ線に沿った長手方向の断面である。
【図２３】図２１におけるＸＸＩＩＩ線に沿った長手方向の断面である。
【発明を実施するための形態】
【００１２】
（先行技術の締め付け装置の詳細な説明）
請求項１の前文による先行技術の締め付け装置が、今や、図１から図３を参照することによって短く説明される。この先行技術の締め付け装置は、回転不可能な種類のものであり、例えば、旋削工具を保持するように適合されている。図１から明らかなように、締め付け装置１の外側ハウジングは、概して箱状に形作られ、かつ概略的に示されている工具保持部２に接続されるように示されている。図２は、締め付け装置の中に備えられる全ての個別の構成要素を示す、締め付け装置及び工具保持部の分解斜視図である。構成要素のうちの１つは、ハウジングの中の孔４に挿入される引っ張り棒３である。引っ張り棒３は、締め付け機構を制御し、その機能はここでは説明されず、工具保持部がしっかりと締め付け機構に結合されるロックされた状態と、工具保持部が締め付け装置から解放される解放状態との間にある。締め付け機構の制御は、ハウジングの中の孔４の軸方向における引っ張り棒３の移動によって実行される。引っ張り棒の移動は、今度は、ハウジングを通って、かつ引っ張り棒内の開口部を通って延在するカムシャフト５を回転させることによって実行され、かつカムシャフト５は、引っ張り棒を通る開口部の後部表面上で望ましいように作動することができるカム構成が提供され、カム構成は、引っ張り棒を後方に移動させ、又は前方表面上で望ましいように作動することができるカム構成が提供され、それは、適切に、引っ張り棒を前方に移動させる。
【００１３】
しかしながら、解放カム表面と同様にロッキングカム平面を備えるカム構成のために、カムシャフトは、どちらかというと大きい断面寸法を有し、その結果、引っ張り棒開口部は、そのカム構成を有するカムシャフトを受け入れるために、対応する大きな断面寸法を有するように形成されなければならない。結果として、引っ張り棒は、引っ張り棒の前方部分及び後部分を接続し、かつ引っ張り棒開口部のそれぞれの側部上に位置付けられる、脚部分もまた生じる得る力に耐えるために特定の断面寸法を有しなければならないので、どちらかというと大きい断面寸法を有するように形成される。これは、工具及び工具保持部のための設置脚部の一般的に使用される寸法を伴って、引っ張り棒が、通路が小さすぎるので、締め付け装置の前端部から挿入されることができないということをもたらす。本明細書において開示される先行技術の締め付け装置において、この問題は、工具保持部の設置脚部のための脚部孔を画定するハウジングの孔４内に個別のスリーブ６を設置することによって解決されてきた。したがって、引っ張り棒は、脚部孔スリーブ６を設置する前に、ハウジングの中へ設置される。
【００１４】
そのような解決法の１つの問題は、締め付け装置を製造するための費用が増加するということである。別の問題は、個別の脚部孔スリーブを使用することは、それ自身の製造公差を有する１つの更なる構成要素を導入するということであり、それは、工具によって実行される機械加工作業の精度を悪化させる。
（本発明による締め付け装置の実施形態の詳細な説明）
【００１５】
最初に図４及び図５が参照され、そこでは、本発明による締め付け装置１０、及び締め付け装置の前端部に結合される工具保持部１１が、斜視図において示されている。工具保持部は、ここで概略的に示されており、それによって、そのカットオフ、後端部だけが示されているが、実際には、機械加工工具の何らかの形態が工具保持部に接続され、それは、工具保持部と統合されるか、又は個別の接続された部品としてかのいずれかにおいてである。後端部において、締め付け装置は、設置胴部１２が提供され、それは、例えば、示されていない作業機械の回転するスピンドルなどに接続されるように適合される。締め付け装置は、円形の断面及び内側の孔１４を有するハウジング１３を備える。そのエンベロープ表面において、ハウジングは、ハウジングの中へのカムシャフト１６の設置のための孔１５が提供され、かつそれは、カムシャフトの端部において六角形の頭部１７の形態における係合構成へのアクセスを与える。
【００１６】
図５は、締め付け装置の部分を形成する様々な構成要素を示す、図４による締め付け装置及び工具保持部１１の分解斜視図である。締め付け装置のように、また、工具保持部は設置脚部１８が提供される。示されている実施形態において、工具保持部１１の設置脚部１８は、ＵＳ５３４０２４８において開示される種類のものであり、軸方向の孔、及びいくらか「三角形」又は多角形、すなわち円形ではない断面を有する円錐状の脚部を備え、それは、対応するように形作られた孔１４の中へ引き込まれるように適合される。円錐状の形は、軸方向と同様に半径方向の動きがない接続を保証し、一方、「三角形」又は多角形の形は、設置孔に関する設置脚部の回転不可能な固定を保証する。工具保持部の設置脚部１８を締め付け装置の設置孔１４に引き込むために、後者は、ハウジング１３の孔１４内に配置される、引っ張り棒１９、４つの圧縮バネ２０、スラストリング２１、補強リング２２、弾力性を有するオーリング２３、複数の係合セグメント２４、及びストップリング２５を備える結合機構が提供される。密封リング２６が、また、ハウジングの内側孔の内側の溝内に配置され、それによって、ハウジングは、引っ張り棒１９の周囲に抗して耐え、かつスライドする。カムシャフト１６のための孔１５は、その中心軸３０に垂直なハウジングの一側部を通って形成され、かつ組立てられた状態において、カムシャフト１６は、孔１５の中へ挿入され、かつ引っ張り棒内の開口部２８を通って挿入される。締め付け装置は、また、ストップラグ（ｓｔｏｐ  ｌｕｇ）２９が提供され、それは、カムシャフトの六角形の頭部１７に隣接するネジによって取り付けられ得る。
【００１７】
今度は図６から図８を参照すると、引っ張り棒１９は、完全な斜視図、図７による左上端部から見た端面図、図８によるカットオフ斜視図においてそれぞれ示されている。この種の先行技術の締め付け装置のように、開口部２８は、その長手方向の軸３０に垂直な方向において引っ張り棒を通って形成され、それを通って、カムシャフトが締め付け装置の組立てられた状態において延在する。引っ張り棒の前端部は、ドローヘッド（ｄｒａｗｈｅａｄ）３２を有するプロジェクティングスタッド（ｐｒｏｊｅｃｔｉｎｇ  ｓｔｕｄ）３１として形成され、それは、後方に向かって、首部３３の中へ先細りし、それは今度は、大きいサイズの部分３４に統合される。図７の引っ張り棒の前端部の端面図から最もよく見られるように、大きいサイズの部分３４は、引っ張り棒１９と設置孔の内側表面との間でしっかりしたフィットが得られるように、設置孔１４の内側端面に一致する断面においていくらか「三角形」又は多角形の形状を有する。
【００１８】
カムシャフト１６は、図９による斜視図、図１０による側面図、及び図１１による端面図においてより詳細に示され、図１１は、図９及び図１０の下から見られたものである。一端部において、カムシャフトは、カムシャフトを設定するための六角形の駆動ソケットによって係合されるように適合された六角形の頭部１７の形態における係合構成を伴って形成された頭部を備える。六角形の駆動ソケットの周りで、頭部は、大きい、円形のフランジ３５が提供され、それは、ハウジングの中への挿入の深さを画定し、かつその円周端の一部分にそって凹部３６が提供され、それは、カムシャフトがハウジングから除去されることを妨げると同様に、カムシャフトの最大回転角度の規制のためにストップラグ２９と相互作用するように適合される。
【００１９】
カムシャフトは、３つのカム構成、より正確には第１及び第２の間隔が空けられたカム構成３７’、３７”であって、図１２及び図１３から見られるように、引っ張り棒の対向する側のハウジングの台座開口部３８内でジャーナル支持され、互いに関して同一の形状を有し、かつ互いに関して同一に位置決めされた、第１及び第１のカム構成、それと同様に第１及び第２のカム構成の間に配置される中間の第３のカム構成３７”’であって、第１及び第２のカム構成に関して同一の形状を有するが、第１及び第２のカム構成に関して１８０°の角度においてずらされ、かつ引っ張り棒の開口部２８内に位置決めされるように適合された、第３のカム構成を備える。カム構成のうちの各々は、図１１から最もよく見られるように、第１のカム表面３９’を備え、それらの各々は、角度毎に同じカムピッチを有し、同様に、第２のカム表面３９”を備え、それらの各々は、角度毎に同じカムピッチを有する。より精密には、カムシャフトが時計回りに回転する際に（六角形の頭部１７を見る場合に見られるように）、第１及び第２のカム構成３７’、３７”の第１のカム表面３９’は、台座開口部３８の前方表面４０’（図１２、１３参照）上で作動することによってカムシャフトが後方へ移動するように作動可能であり、一方、第３のカム構成３７”’の第１のカム表面３９’は、引っ張り棒を後方のロック位置へと促すために、引っ張り棒開口部２８の後部表面４１”上で作動することによって引っ張り棒を後方へ移動させるように作動可能であり、その位置で、引っ張り棒は、工具保持脚部を締め付け装置にしっかりとロックし、かつカムシャフトが反時計回りに回転する際に、第１及び第２のカム構成３７’、３７”の第２のカム表面３９”は、台座開口部３８の後部表面４０”上で作動することによってカムシャフトを前方へ移動させるように作動可能であり、一方、第３のカム構成３７”’の第２のカム表面３９”は、引っ張り棒を前方のロックされていない位置へ確実に移動させるために、カムシャフトが入る開口部２８の前方表面４１’上で作動することによって引っ張り棒を前方へ移動させるように作動可能であり、その位置で、工具保持脚部は、締め付け装置から解放される。
【００２０】
カムシャフト１６は、図１２及び図１３において示されているように、引っ張り棒の一側部から開口部２８を通って挿入されるので、開口部は、カムシャフトを通すために十分に大きい断面寸法を有しなければならない。２つの脚部分４２は、互いに関して引っ張り棒の前方及び後方部分と相互作用し、工具保持部の締め付けの間に引っ張り棒が晒される大きい力に耐えるために、十分な断面寸法を有する必要があるので、この状態は、引っ張り棒の最も大きい断面寸法がどれだけ大きくなり得るかに対する決定要素のうちの１つである。したがって、ハウジングの前端部から締め付け孔を通してハウジングの中へ引っ張り棒が挿入され得る程度に、引っ張り棒の断面寸法を制限するために、カムシャフトの最も大きな断面寸法を制限することが、また、必要である。本発明にしたがって、これは、３つの個別のカム構成を有するカムシャフトを提供することによって達成される。より精密には、上述されたように、第１及び第２のカム構成３７’、３７”は、ハウジング内の対向する台座開口部３８において配置される座面４０’、４０”上で作動するように適合され、同様に、第３のカム構成”’は、第１及び第２のカム構成の間に位置決めされ、第１及び第２のカム構成に関して反対側に向けられ、かつカムシャフトが入る開口部２８内に配置される座面４１’、４１”上で作動する。このやり方において、カム構成は、反対向きのカム構成によって生成される移動距離が互いに対して加えられるので、工具保持部をしっかりと締め付けるために必要な距離だけ、工具保持部を移動させるために、通常必要なものよりも小さく作られることができる。
【００２１】
今度は図１４から図１８を参照すると、工具保持部が締め付け装置の設置孔１４の中へその設置脚部１８を用いてちょうど挿入されてしまった、又は工具保持部が締め付け装置から除去される場合のロックされていない状態が示されている。図１４は、工具保持部が締め付け装置からロック解除される反時計方向の終端部までカムシャフト１６を回転させた、組立てられた工具保持部１１及び締め付け装置１０の側面図である。図１５は、図１４のＸＶ線に沿った断面、すなわち、全てのその構成要素が適切な位置に設置された、組立てられた状態の工具保持部１１及び締め付け装置１０の長手方向の軸又は中心軸に沿った断面である。締め付け装置は、ここでは、工具脚部１８がちょうど設置孔に挿入されたが、カムシャフト１６が起動されてしまう前の場合の初期状態であり、カムシャフト１６が起動されてしまうと、工具脚部は、締め付け装置に結合されてしまい、ハウジング１３の設置孔の中への大きな力によって引き込まれる。見られ得るように、係合セグメント２４は、引っ張り棒のドローヘッド３２と引っ張り棒の多角形に形作られた部分３４との間の領域内の引っ張り棒の周りに設置される。組立てられた状態において、工具保持部の後端部における係合孔の内側表面とこの領域との間で、空間が生成される。係合セグメント２４は、補強リング２２の内側の溝と係合している各々の係合セグメントの外側延伸フランジ部４４によって適切な位置に保持され、かつこの図において示されていない弾力性を有するオーリング２３は、係合セグメントの後端部における外側に面する溝構成内に位置決めされる。係合セグメントの前端部は、外側に向けられた係合フランジ４４と共に形成され、それらは、工具保持部の係合孔の内側の内側係合溝４５との係合へ向かうように適合されているが、係合溝との係合から外れたこの初期状態にある。更に、圧縮バネ２０は、図７及び図８において見られるように、引っ張り棒の前端部内の４つのバネ孔のうちの各々の中に設置され、それによって、各々の圧縮バネの圧力チップ４６は、スラストリング２１に抗して圧し、かつそれをストップリング２５に抗して前方向へ強いる。圧縮バネ２０及び圧力チップ４６は、示されているように、断面図の残りの部分と同じ平面内に配置されていないが、それらの位置は、例示的な目的のためにこの図の中に示されていることは、注意されるべきである。実際には、圧縮バネ２０は、断面よりも見る者の近くに位置決めされ、かつ図７及び図８において見られるように、バネ孔４７の中に挿入され、かつ引っ張り棒の脚部分４２内で延伸する。引っ張り棒の範囲内の孔内に圧縮バネ２０を位置決めすることにおける１つの利点は、引っ張り棒の全体の長さ、かつそれによってまた、締め付け装置が、先行技術の引っ張り棒及び締め付け装置よりも短く作られることを可能にし、それはつまり、引っ張り棒の外側に任意のバネ手段のための空間を作る必要がないからである。圧縮バネ及びそれらの圧力チップの圧力は、補強リング２２及び係合セグメント２４と同様に、スラストリング２１をストップリング２５に向けて前方に移動させるように作動する。このロックされていない状態のカムシャフトは、第１及び第２のカム部分３７’、３７”が前方の方向へカムシャフト１６を移動させるように作動し、かつ第３のカム部分３７”’が引っ張り棒内の開口部の前方座面上で作動するように、回転され、かつ適切に、引っ張り棒は前方の方向へ移動される。
【００２２】
図１６は、図１５による部分的な長手方向の断面であるが、締め付け機構は除去され、かつ引っ張り棒１９及びカムシャフト１６が側面図において示されており、一方、図１７及び図１８は、図１６のそれぞれＸＶＩＩ線及びＸＶＩＩＩ線に沿った長手方向の断面である。図１７から見られ得るように、第１のカム部分の第２のカム表面３９”は、カムシャフト１６を前方の方向へ移動させるように作動し、一方、図１８において見られ得るように、第３のカム構成の第２のカム表面３９”が、引っ張り棒１９を前方の方向へ移動させるように作動する。図１８において、また、後でより詳細に説明される引っ張り棒を通る冷却媒体のための流路のシステムが示されている。
【００２３】
図１４から図１８による初期状態から、カムシャフトは、ロックされていない位置からロックされた位置へ、最大で約１８０°回転され得、図１９から図２３において示されているように、第１及び第２のカム構成３７’、３７”の第１のカム表面３９’は、ハウジングの台座開口部の前方表面上で作動し、それはカムシャフト１６を後方へ移動させ、一方、第３のカム構成３７”’の第１のカム表面３９’は、引っ張り棒開口部２８の後表面上で作動し、かつ引っ張り棒を後方へ圧す。このロックされた位置は、図１９のＸＸ線に沿って、図２０による中心線に沿って長手方向のセクションにおいて示されている。この図面から見られ得るように、スラストリング２１、補強リング２２、及び係合セグメント２４は、未だ、圧縮バネ２０によってストップリング２５に向かって前方に押され、一方、引っ張り棒１９は、上述されたように、カムシャフト１６によって後方に引かれる。これは、係合セグメント２４が引っ張り棒に関して外側に移動されることをもたらし、それによって、係合セグメントの前端部は、ドローヘッド３２の後方に面する斜めの表面４８上でスライドする。このやり方において、係合セグメントの前端部上の係合フランジ４４は、外側へ移動され、かつ工具保持部の係合孔の内側の係合溝４９（図２０参照）の中へ移動され、それによって、工具保持脚部１８は、引っ張り棒１９によって、ハウジング内の設置孔１４の表面に抗するしっかりとした支持へと引かれる。
【００２４】
図１６から図１８の類推において、図２１は、図２０による部分的な長手方向の断面であるが、締め付け機構は除去され、かつ引っ張り棒１９及びカムシャフト１６が側面図において示されており、一方、図２２及び図２３は、図２１のそれぞれＸＸＩＩ線及びＸＸＩＩＩ線に沿った長手方向の断面である。図２２から見られ得るように、第１のカム部分の第１のカム表面３９’は、カムシャフト１６を後方の方向へ移動させるように作動し、一方、図２３において見られ得るように、第３のカム構成の第１のカム表面３９’が、引っ張り棒１９を後方の方向へ移動させるように作動する。本発明によるカムシャフトの１つの結論は、カムシャフトは、カムシャフトが回転する場合に、引っ張り棒１９を前方又は後方へ移動させるだけではなく、また、カムシャフト１６それ自身が、いくらか引っ張り棒と同じ方向へ移動されるということである。これは、図１５及び図１６を図２０及び図２１と比較し、かつ例えば、カムシャフトの中心線４９を見た場合に、明らかである。
【００２５】
本明細書において開示された締め付け装置の更なる利点は、締め付け装置の後端部から工具保持脚部への冷却媒体、液体、又は気体の流通のための流路のシステムが提供されることである。そのような冷却システムを提供することの１つの難しさは、カムシャフト１６が受け入れられる空間を通って、流体が通過することは望ましくないということである。１つの理由は、冷却流体の漏れを妨げるためにカムシャフトを密封することが困難だからである。別の問題は、何らかの形態の潤滑剤が、通常、カムシャフトの滑り面と引っ張り棒との間で使用され、そのような潤滑剤は、そこを通って冷却媒体が流れる場合に、洗い流されてしまうということである。これらの問題は、流路全体を、その後端部からその前端部まで、引っ張り棒１９の内側に配置することによって克服された。流路は、図１８及び図２３において最もよく見られるが、また、図６、７、８、１５、１６、２０、及び２１において部分的に見ることができる。流路システムは、その中心軸３０と同心な引っ張り棒の後端部からの第１のブラインドチャネル５０１を備え、それは、引っ張り棒開口部２８に至る前に終結し、ここで、それは第２のブラインドチャネル５０２へと広がり、それは、引っ張り棒の一側面から、かつ中心軸に対して角度を横断するように延伸するが、引っ張り棒の反対側の側面に至る前に終結する。第２のブラインドチャネル５０２は、第３のブラインドチャネル５０３へと広がり、それは、引っ張り棒の後部表面から中心軸と平行な引っ張り棒の脚部４２のうちの１つを通って延伸するが、前方表面に至る前に終結する。第３のブラインドチャネル５０３は、第４のブラインドチャネル５０４へと広がり、それは、引っ張り棒の一側面から、かつ中心軸に対して角度を横断するように延伸するが、引っ張り棒の反対側の側面に至る前に終結する。第４のブラインドチャネル５０４は、第５のブラインドチャネル５０５へと広がり、それは、その中心軸と同心な引っ張り棒の前端部から延伸し、引っ張り棒開口部２８に至る前に終結する。第２、第３、及び第４のブラインドチャネル５０２、５０３、及び５０４は、引っ張り棒を通る閉じた流路システムを提供するために、引っ張り棒の表面においてそれぞれの開口部に近接する何らかのタイプのプラグ５１によって密封される。
【符号の説明】
【００２６】
１  締め付け装置
２  工具保持部
３  引っ張り棒
４  ハウジングの孔
５  カムシャフト
６  スリーブ
１０  締め付け装置
１１  工具保持部
１２  設置胴部
１３  ハウジング
１４  ハウジングの孔
１５  カムシャフトのための孔
１６  カムシャフト
１７  六角形の頭部
１８  工具保持部の設置脚部（工具保持脚部）
１９  引っ張り棒
２０  圧縮バネ
２１  スラストリング
２２  補強リング
２３  弾力性を有するオーリング
２４  複数の係合セグメント
２５  ストップリング
２６  密封リング
２８  引っ張り棒開口部
２９  ストップラグ
３０  長手方向の軸
３１  プロジェクティングスタッド
３２  ドローヘッド
３３  首部
３４  大きいサイズの部分（多角形に形作られた部分）
３５  円形のフランジ
３６  凹部
３７’  第１のカム構成
３７”  第２のカム構成
３７”’  第３のカム構成
３８  台座開口部
３９’  第１のカム表面
３９”  第２のカム表面
４０’  台座開口部の前方表面
４０”  台座開口部の後部表面
４１’  台座開口部の前方表面（座面）
４１”  台座開口部の後部表面（座面）
４４  係合フランジ
４６  圧縮バネの圧力チップ
４８  斜めの表面
４９  係合溝、カムシャフトの中心線
５０１  第１のブラインドチャネル
５０２  第２のブラインドチャネル
５０３  第３のブラインドチャネル
５０４  第４のブラインドチャネル
５０５  第５のブラインドチャネル
５１プラグ
【図１】
0006514605.tif 000002
【図２】
0006514605.tif 000003
【図３】
0006514605.tif 000004
【図４】
0006514605.tif 000005
【図５】
0006514605.tif 000006
【図６】
0006514605.tif 000007
【図７】
0006514605.tif 000008
【図８】
0006514605.tif 000009
【図９】
0006514605.tif 000010
【図１０】
0006514605.tif 000011
【図１１】
0006514605.tif 000012
【図１２】
0006514605.tif 000013
【図１３】
0006514605.tif 000014
【図１４】
0006514605.tif 000015
【図１５】
0006514605.tif 000016
【図１６】
0006514605.tif 000017
【図１７】
0006514605.tif 000018
【図１８】
0006514605.tif 000019
【図１９】
0006514605.tif 000020
【図２０】
0006514605.tif 000021
【図２１】
0006514605.tif 000022
【図２２】
0006514605.tif 000023
【図２３】
0006514605.tif 000024